(57)【要約】【課題】  リニア駆動方式のモータの駆動回路において、モータ１の回転速度は、出力アンプ５に印加される電源電圧Ｖ１によって制御される。しかしながら、従来技術に係るモータの駆動回路では、電源電圧Ｖ１を変化させても、ホール素子３に印加されるホールバイアスＶ２は、一定であった。そのため、駆動信号と電源電圧Ｖ１との差に起因した発熱や騒音が発生していた。【解決手段】  本発明に係るモータの駆動回路では、電源電圧Ｖ１と、増幅検出信号Ｓ３とに応じて、ホールバイアスＶ２が変化するため、電源電圧Ｖ１の値に適した駆動信号Ｓ１の振幅が保たれる。【選択図】      図１
2007318965.tif 000002
【特許請求の範囲】
【請求項１】
モータの回転位相を検出して検出信号を出力する検出回路と、
前記検出信号を増幅して増幅検出信号を出力する増幅回路と、
前記増幅検出信号を電源電圧に従い増幅して駆動信号を出力する出力アンプと、を備え、
前記検出信号の振幅は、前記電源電圧に応じて、前記駆動信号の飽和時間と非飽和時間との比が一定値を保つように変化することを特徴とするモータの駆動回路。
【請求項２】
前記電源電圧に応じた変換電圧を出力する電圧変換回路と、
前記変換電圧を一方の入力とし、前記増幅検出信号を他方の入力としたバイアス設定アンプと、を備え、
前記バイアス設定アンプの出力は、前記検出回路のホール素子に印加されるホールバイアスとなることを特徴とする請求項１に記載のモータの駆動回路。
【請求項３】
前記電源電圧は、目標とするモータの回転速度に応じて切り替えられることを特徴とする請求項１に記載のモータの駆動回路。
【発明の詳細な説明】
【技術分野】
【０００１】
本発明は、モータの駆動回路に関し、特にリニア駆動方式のモータの駆動回路に関する。
【背景技術】
【０００２】
図４は、従来技術に係るモータの駆動回路の一例を示す。
【０００３】
モータ１は、コイル２を有する単相ブラシレスモータである。前記モータ１は、前記コイル２に印加される駆動信号Ｓ１に応じて回転する。ホール素子３は、前記モータ１の回転位相を検出して検出信号Ｓ２を出力する。ホールアンプ４は、前記検出信号Ｓ２を増幅して増幅検出信号Ｓ３を出力する。出力アンプ５は、電源電圧Ｖ１に応じて、前記増幅検出信号Ｓ３を増幅して前記駆動信号Ｓ１を出力する。このように、前記モータ１、前記ホール素子３、前記ホールアンプ４、及び前記出力アンプ５は、フィードバックループを形成して、前記モータ１をリニア駆動する。
【０００４】
斯かるモータの駆動回路では、前記モータ１の回転速度は、前記電源電圧Ｖ１に依存する。すなわち、前記モータ１の回転速度は、前記電源電圧Ｖ１が大きく設定されると早くなり、前記電源電圧Ｖ１が小さく設定されると遅くなる。
【０００５】
関連した技術文献としては、例えば以下の特許文献が挙げられる。
【特許文献１】特開平５−３０７８０
【発明の開示】
【発明が解決しようとする課題】
【０００６】
上述したモータの駆動回路では、前記電源電圧Ｖ１が切り替えられても、前記駆動信号Ｓ１の振幅は一定であった。
【０００７】
図５は、前記駆動信号Ｓ１の波形図を示す。
【０００８】
先ず、図５（ａ）は、前記電源電圧Ｖ１に対して、前記駆動信号Ｓ１の振幅が適正である場合の前記駆動信号Ｓ１の波形図を示す。一般に、前記駆動信号Ｓ１は、前記電源電圧Ｖ１により僅かに歪むように設計される。
【０００９】
一方、図５（ｂ）は、図５（ａ）よりも前記モータ１の回転速度が早くなるように、前記電源電圧Ｖ１が大きく設定された場合の前記駆動信号Ｓ１の波形図を示す。前述したように、前記電源電圧Ｖ１が切り替えられても、前記駆動信号Ｓ１の振幅は固定される。この場合、前記駆動信号Ｓ１は、前記電源電圧Ｖ１に満たないため、前記モータ１は、駆動能力が不足して、設定された回転速度に到達できない。また、前記出力アンプ５において、前記電源電圧Ｖ１と前記駆動信号Ｓ１との電位差に応じた熱が発生し、放熱対策が必要となる。
【００１０】
また、図５（ｃ）は、図５（ａ）よりも前記モータ１の回転速度が遅くなるように、前記電源電圧Ｖ１が小さく設定された場合の前記駆動信号Ｓ１の波形図を示す。この場合、前記駆動信号Ｓ１は、前記電源電圧Ｖ１を超える領域において大きく歪み、略矩形波状になる。このため、前記駆動信号Ｓ１の変化が急峻となり、騒音が発生する。
【課題を解決するための手段】
【００１１】
上記に鑑み、本発明に係るモータの駆動回路は、モータの回転位相を検出して検出信号を出力する検出回路と、前記検出信号を増幅して増幅検出信号を出力する増幅回路と、前記増幅検出信号を電源電圧に従い増幅して駆動信号を出力する出力アンプと、前記駆動信号に応じて駆動するモータと、を備え、前記検出信号の振幅は、前記電源電圧に応じて、前記駆動信号の飽和時間と非飽和時間との比が一定値を保つように変化することを特徴とする。
【００１２】
また、前記電源電圧に応じた変換電圧を出力する電圧変換回路と、前記変換電圧を一方の入力とし、前記増幅検出信号を他方の入力としたバイアス設定アンプと、を備え、前記バイアス設定アンプの出力は、前記検出回路のホール素子に印加されるホールバイアスとなることを特徴とする。
【００１３】
また、前記電源電圧は、目標とするモータの回転速度に応じて切り替えられることを特徴とする。
【発明の効果】
【００１４】
本発明に係るモータの駆動回路では、電源電圧に応じて、駆動信号の飽和時間と非飽和時間との比が一定値を保つように、検出信号の振幅が変化する。このため、モータの回転速度を変えても、設定された電源電圧に適した駆動信号の振幅が得られる。このため、発熱、騒音の発生を防ぐことができる。
【００１５】
また、増幅検出信号と、電源電圧に応じた設定電圧とに応じてホール素子のホールバイアを制御するため、検出信号の振幅を最適値に設定することができる。
【００１６】
また、電源電圧によりモータの回転速度が設定される構成をとっても、発熱、騒音を防ぐことができる。
【発明を実施するための最良の形態】
【００１７】
以下、本発明に係るモータの駆動回路について、詳細に説明する。
【００１８】
図１は、本発明に係るモータの駆動回路の一例を示す。斯かる駆動回路は、モータ１、ホール素子３、ホールアンプ４、及び出力アンプ５は、フィードバックループを形成して、前記モータ１をリニア駆動する。ここで、前記モータ１の回転速度は、前記出力アンプ５に印加される電源電圧Ｖ１に応じて制御される。ここで、前記電源電圧Ｖ１は、速度制御回路６により、設定された回転速度に対応した値に調整されて出力される。そして、前記電源電圧Ｖ１は、電圧変換回路７及びバイアス設定アンプ８を介して、前記ホール素子３に印加されるホールバイアスＶ２となる。以下、本発明に係るモータの駆動回路について、具体的に説明する。
【００１９】
モータ１は、コイル２を有する単相ブラシレスモータである。前記モータ１は、回転子にロータマグネットが取着されており、前記コイル２に印加される駆動信号Ｓ１に応じて回転する。
【００２０】
ホール素子３は、前記モータ１のロータマグネットが通過する適宜な部位に配設されており、前記モータ１の回転位相を検出して、検出信号Ｓ２を出力する。すなわち、前記ホール素子３は、一定の電流を通電するため、通電用の一方の端子には、第１のバイアス抵抗Ｒａを介して所定のホールバイアスＶ２が印加される。一方、通電用の他方の端子は、第２のバイアス抵抗Ｒｂを介してグランドに接続される。そして、前記ホール素子３は、ロータマグネットの通過に伴う磁束密度の変化に応じて、２つの出力端子から逆位相の正弦波電圧である検出信号Ｓ２を出力する。前記ホール素子３は、例えば、ガリウム砒素(ＧaＡs)、インジウムアンチモン(ＩnＳb)からなる。ここで、前記検出信号Ｓ２の振幅は、前記第１のバイアス抵抗Ｒａに印加される前記ホールバイアスＶ２に依存する。本発明に係るモータの駆動回路では、後に説明するように、前記ホールバイアスＶ２は、目標とするモータの回転速度に応じて設定される電源電圧Ｖ１に応じて適宜変化する。すなわち、前記電源電圧Ｖ１に応じて前記検出信号Ｓ２の振幅は変化することができる。
【００２１】
ホールアンプ４は、前記検出信号Ｓ２を増幅して、増幅検出信号Ｓ３を出力する。すなわち、前記ホールアンプ４の非反転入力端子には、前記ホール素子３の出力が印加され、反転入力端子には、前記ホール素子３の反転出力が印加される。そして、前記ホールアンプ４から、前記検出信号Ｓ２の振幅が増幅された正弦波形の増幅検出信号Ｓ３が出力される。
【００２２】
出力アンプ５は、印加される前記電源電圧Ｖ１に応じて、前記増幅検出信号Ｓ３を増幅して、駆動信号Ｓ１を出力する。すなわち、前記電源電圧Ｖ１の値と前記検出信号Ｓ２の増幅度とは比例する。また、前記電源電圧Ｖ１は、前記出力アンプ５が正常動作する為の入力電圧範囲を規定する。すなわち、前記増幅検出信号Ｓ３の電圧が、前記電源電圧Ｖ１の範囲を超える場合、前記出力アンプ５から出力される前記駆動信号Ｓ１は、前記電源電圧Ｖ１を越える範囲が歪んだ略区形状となる。
【００２３】
ここで、前記電源電圧Ｖ１は、目標とするモータの回転速度に応じて、速度制御回路６により設定される。具体的には、モータの回転速度を、基準よりも早くする場合、前記電源電圧Ｖ１は大きく設定され、基準よりも遅くする場合、前記電源電圧Ｖ１は小さく設定される。
【００２４】
ところで、本発明に係るモータの駆動回路では、前記電源電圧Ｖ１は、電圧変換回路７にも印加される。そして、前記電源電圧Ｖ１は、前記電圧変換回路７により、前記電源電圧Ｖ１に応じた変換電圧Ｖ３に変換されて、バイアス設定アンプ８に入力される。また、該バイアス設定アンプ８には、前記増幅検出信号Ｓ３も入力される。そして、前記バイアス設定アンプ８は、前記変換電圧Ｖ３と、前記増幅検出信号Ｓ３とを比較して、前記ホール素子３の前記ホールバイアスＶ２を出力する。
【００２５】
すなわち、本発明に係るモータの駆動回路では、設定された前記電源電圧Ｖ１に応じて、前記ホールバイアスＶ２も変化する。このため、前記検出信号Ｓ２のゲインは、前記電源電圧Ｖ１に応じて変化し、それに伴い、前記増幅検出信号Ｓ３、及び前記駆動信号Ｓ１の振幅も変化する。
【００２６】
図２は、前記出力アンプ５から出力された前記駆動信号Ｓ１の波形図を示す。
【００２７】
先ず、図２（ａ）は、前記電源電圧Ｖ１に対して、前記駆動信号Ｓ１の振幅が適正である場合の前記駆動信号Ｓ１の波形図を示す。一般に、前記駆動信号Ｓ１は、前記電源電圧Ｖ１により僅かに歪むように設計される。これは、前記電源電圧Ｖ１が、前記駆動信号Ｓ１よりも大きい場合、前記電源電圧Ｖ１と前記駆動信号Ｓ１との電位差に応じた発熱が生じる。一方、前記電源電圧Ｖ１が、前記駆動信号Ｓ１よりも小さい場合、前記駆動信号Ｓ１は、前記電源電圧Ｖ１を超える範囲で歪むため、前記駆動信号Ｓ１の変化が急峻になることに起因して騒音が発生する。ここで、発熱は、放熱対策等が必要となるため、騒音よりも防ぐべき問題である。そこで、発熱を最小限に抑えることに重点を置き、これら発熱と騒音とのバランスが最適となるように、前記電源電圧Ｖ１は、前記駆動信号Ｓ１よりも僅かに小さくなるように設計される。ここで、当該バランスが保たれた状態における、前記駆動電圧の飽和時間をｔ１、非飽和時間をｔ２と定義する。
【００２８】
また、図２（ｂ）は、図２（ａ）よりも前記モータ１の回転速度が早くなるように、前記電源電圧Ｖ１が大きく設定された場合の前記駆動信号Ｓ１の波形図を示す。前述したように、本発明に係るモータの駆動回路では、前記ホールバイアスＶ２は、前記電源電圧Ｖ１に応じて大きくなる。この場合、前記検出信号Ｓ２の振幅も、前記電源電圧Ｖ１に応じて大きくなる。したがって、前記検出信号Ｓ２に依存する前記増幅検出信号Ｓ３、及び前記駆動信号Ｓ１の振幅も、前記電源電圧Ｖ１に応じて大きくなる。ここで、好ましくは、前記駆動信号Ｓ１の飽和時間ｔ３と、非飽和時間ｔ４との比が、図２（ａ）におけるｔ１とｔ２との比と等しくなるように、前記ホールバイアスＶ２が変化するように設定される。尚、前記電源電圧Ｖ１に応じた前記ホールバイアスＶ２の変化は、前記電圧変換回路７によって調節される。この場合、各電源電圧Ｖ１に応じた騒音と発熱との発生のバランスを最適に保つことができる。
【００２９】
また、図２（ｃ）は、図２（ａ）よりも前記モータ１の回転速度が遅くなるように、前記電源電圧Ｖ１が小さく設定された場合の前記駆動信号Ｓ１の波形図を示す。前記ホールバイアスＶ２は、前記電源電圧Ｖ１に応じて小さくなる。この場合、前記検出信号Ｓ２の振幅も、前記電源電圧Ｖ１に応じて小さくなる。したがって、前記検出信号Ｓ２に依存する前記増幅検出信号Ｓ３、及び駆動信号Ｓ１の振幅も、前記電源電圧Ｖ１に応じて小さくなる。ここで、好ましくは、図２（ｂ）と同様に、前記駆動信号Ｓ１の飽和時間ｔ５と、非飽和時間ｔ６との比が、図２（ａ）におけるｔ１とｔ２、及び図２（ｂ）におけるｔ３とｔ４との比と等しくなるように、前記ホールバイアスＶ２は変化するように設定される。
【００３０】
図３は、前記電圧変換回路７の一例を示す。
【００３１】
斯かる電圧変換回路７は、前記電源電圧Ｖ１が、前述の飽和時間と非飽和時間との比が一定となるような前記変換電圧Ｖ３に変換するように構成されている。以下、当該回路について、具体的に説明する。
【００３２】
トランジスタＱ１のベースには、前記電源電圧Ｖ１を抵抗Ｒ１と抵抗Ｒ２との抵抗分割により設定される電圧Ｖ４が発生する。ここで、前記トランジスタＱ１とトランジスタＱ２とは、同じベース−エミッタ間電圧を有する。このため、前記トランジスタＱ２のエミッタにも、略電圧Ｖ４が発生する。ところで、トランジスタＱ３とトランジスタＱ４とは、ミラー回路を構成する。このため、前記トランジスタＱ４のコレクタには、前記トランジスタＱ３と前記トランジスタＱ４とのミラー比、及び抵抗Ｒ３と抵抗Ｒ４との抵抗比により設定された電圧Ｖ５が発生する。そして、トランジスタＱ５とトランジスタＱ６とは、同じベース−エミッタ間電圧を有する。このため、前記トランジスタＱ６のエミッタにも、略電圧Ｖ５が発生する。ここで、抵抗Ｒ５には、任意に設定できるレベルシフト電圧Ｖｒが印加される。したがって、当該電圧変換回路７の出力部から、前記抵抗Ｖ２が前記レベルシフト電圧Ｖｒにより、前記変換電圧Ｖ３に変換されて出力される。すなわち、前記変換電圧Ｖ３は、前記電源電圧Ｖ１に応じて変化し、且つ前記レベルシフト電圧Ｖｒにより、前述した前記駆動信号Ｓ１の飽和時間と非飽和時間との比が満たされるように調節することができる。
【００３３】
以上、本発明に係るモータの駆動回路では、前記電源電圧Ｖ１を変化させると、前記駆動信号の振幅は、前記駆動信号の飽和時間と非飽和時間との比が、一定値を保つように変化する。このため、モータの回転速度を切り替えても、発熱、騒音を抑えることができる。
【００３４】
尚、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３５】
例えば、本発明に係るモータの駆動回路では、単相ブラシレスモータの場合について説明したが、２相ブラシレスモータ、３相ブラシレスモータ等の場合でも同様に適用できる。
【図面の簡単な説明】
【００３６】
【図１】本発明の実施形態に係るモータ駆動回路の回路図を示す。
【図２】本発明の実施形態に係る駆動信号の波形図を示す。
【図３】本発明の実施形態に係る電圧変換回路の回路図を示す。
【図４】従来技術に係るモータ駆動回路の回路図を示す。
【図５】従来技術に係る駆動信号の波形図を示す。
【符号の説明】
【００３７】
１      モータ
２      コイル
３      ホール素子
４      ホールアンプ
５      出力アンプ
６      速度制御回路
７      電圧変換回路
８      バイアス設定アンプ
Ｓ１    駆動信号
Ｓ２    検出信号
Ｓ３    増幅検出信号
Ｖ１    電源電圧
Ｖ２    ホールバイアス
Ｖ３    変換電圧
Ｖｒ    レベルシフト電圧
【図１】
2007318965.tif 000003
【図２】
2007318965.tif 000004
【図３】
2007318965.tif 000005
【図４】
2007318965.tif 000006
【図５】
2007318965.tif 000007